(57)【要約】【課題】動画撮影を行うときに望遠側にズームを行った場合であっても、被写体がボケて記録され難い撮像装置、ズーム制御方法を提供する。【解決手段】  被写界深度演算部５０ｂが被写界深度を演算し、その演算結果が設定した被写界深度よりも浅いときには、望遠側へのズーム動作を電子ズームに切り換える。また、顔認識できなくなりそうになったときには、電子ズームに切り換える。さらに、顔認識できなくなったときには、顔認識できるまで光学ズームを広角側へ戻したり、顔認識可能な数が減ったときには、顔認識可能な数が回復するまで光学ズームを広角側へ戻したりする。そして、その後望遠側へズームを行うときには、電子ズームに切り換える。【選択図】図１
2010141376.tif 000002
【特許請求の範囲】
【請求項１】
レンズ鏡筒を介して被写体像の動画を撮像する撮像手段と、
前記レンズ鏡筒に含まれるレンズの少なくとも一部を移動して、前記撮像手段により撮影可能な被写体像の画角を変更する光学ズーム手段と、
前記撮像手段から得られる撮影画像の撮影範囲を画像処理により変更する電子ズーム手段と、
前記レンズ鏡筒により得られる像の被写界深度を演算する被写界深度演算手段と、
前記被写界深度演算手段が演算した被写界深度に応じて前記光学ズーム手段と前記電子ズーム手段とを切り換える制御手段と、
を備える撮像装置。
【請求項２】
前記制御手段は、前記被写界深度演算手段が演算した被写界深度が、予め設定した被写界深度よりも浅くなるズーム領域で前記電子ズーム手段を用いるように切り換えを行うこと、
を特徴とする請求項１に記載の撮像装置。
【請求項３】
レンズ鏡筒を介して被写体像の動画を撮像する撮像手段と、
前記レンズ鏡筒に含まれるレンズの少なくとも一部を移動して、前記撮像手段により撮影可能な被写体像の画角を変更する光学ズーム手段と、
前記撮像手段から得られる撮影画像の撮影範囲を画像処理により変更する電子ズーム手段と、
前記撮像手段により得られた被写体像から人物の顔を認識する顔認識手段と、
前記顔認識手段により顔を認識した後に前記光学ズーム手段を用いて望遠側へズーム動作を行っている場合であって、前記顔認識手段による顔認識ができなくなりそうになったときに、前記光学ズーム手段から前記電子ズーム手段に切り換える制御手段と、
を備える撮像装置。
【請求項４】
前記制御手段は、被写体像から抽出できる人物の顔の特徴点の数に基づいて、前記顔認識手段による顔認識ができなくなりそうになったか否かの判断を行うこと、
を特徴とする請求項３に記載の撮像装置。
【請求項５】
前記レンズ鏡筒により得られる像の被写界深度を演算する被写界深度演算手段を備え、
前記制御手段は、前記被写界深度演算手段が演算した被写界深度を用いて前記顔認識手段による顔認識ができなくなりそうになったか否かの判断を行うこと、
を特徴とする請求項３又は請求項４に記載の撮像装置。
【請求項６】
レンズ鏡筒を介して被写体像の動画を撮像する撮像手段と、
前記レンズ鏡筒に含まれるレンズの少なくとも一部を移動して、前記撮像手段により撮影可能な被写体像の画角を変更する光学ズーム手段と、
前記撮像手段から得られる撮影画像の撮影範囲を画像処理により変更する電子ズーム手段と、
前記撮像手段により得られた被写体像から人物の顔を認識する顔認識手段と、
前記顔認識手段により顔を認識した後に前記光学ズーム手段を用いて望遠側へズーム動作を行っている場合であって、前記顔認識手段による顔認識ができなくなったとき、又は、顔認識できる数が減ったときに、前記光学ズーム手段を用いて広角側へズーム動作を行う制御手段と、
を備える撮像装置。
【請求項７】
前記制御手段は、前記顔認識手段による顔認識ができなくなったとき、又は、顔認識できる数が減ったときに、前記光学ズーム手段を用いて広角側へズーム動作を行った後は、前記電子ズーム手段に切り換えて望遠側へズーム動作を行うこと、
を特徴とする請求項６に記載の撮像装置。
【請求項８】
前記レンズ鏡筒により得られる像の被写界深度を演算する被写界深度演算手段を備え、
前記制御手段は、前記顔認識手段により顔を認識した後に前記光学ズーム手段を用いて望遠側へズーム動作を行っている場合であって、前記被写界深度演算手段が演算した被写界深度を参照して、被写界深度が浅くなったことにより前記顔認識手段による顔認識ができなくなったとき、又は、顔認識できる数が減ったときに、前記光学ズーム手段を用いて広角側へズーム動作を行うこと、
を特徴とする請求項６又は請求項７に記載の撮像装置。
【請求項９】
前記制御手段は、前記顔認識手段により顔認識ができる位置まで、又は、顔認識できる数が減る前の数に戻る位置まで前記光学ズーム手段を用いて広角側へズーム動作を行うこと、
を特徴とする請求項６から請求項８までのいずれか１項に記載の撮像装置。
【請求項１０】
少なくとも前記レンズ鏡筒の絞り値の設定を含む撮影条件を設定する撮影条件設定手段を備え、
前記撮影条件設定手段は、被写界深度が深い状態となるように撮影条件を設定する被写界深度優先モードを行えること、
を特徴とする請求項１から請求項１０までのいずれか１項に記載の撮像装置。
【請求項１１】
前記レンズ鏡筒は、当該撮像装置に対して着脱自在な交換レンズであること、
を特徴とする請求項１から請求項１０までのいずれか１項に記載の撮像装置。
【請求項１２】
レンズ鏡筒に含まれるレンズの少なくとも一部を移動して、撮像手段により撮影可能な被写体像の画角を変更する光学ズーム手段と、前記撮像手段から得られる撮影画像の撮影範囲を画像処理により変更する電子ズーム手段とを切り換えてズーム動作を行う撮像装置のズーム制御方法であって、
前記レンズ鏡筒により得られる像の被写界深度を演算し、
演算した被写界深度に応じて前記光学ズーム手段と前記電子ズーム手段とを切り換えること、
を特徴とするズーム制御方法。
【発明の詳細な説明】
【技術分野】
【０００１】
本発明は、動画の撮影が可能な撮像装置、及び、そのズーム制御方法に関するものである。
【背景技術】
【０００２】
デジタル一眼レフカメラには、静止画撮影において被写界深度が深くなるように撮影条件を設定する被写界深度優先モード（又は、自動深度優先ＡＥモード、Ａｕｔｏ−Ｄｅｐｔｈモード等）が製品に搭載されているものがある。一方、デジタル一眼レフカメラを用いて動画記録を行う場合、まずライブビューを開始し、シャッタを半押しし、複数の異なる距離の被写体にピントを合わせる。その後シャッタを全押しして動画記録を開始していた。また、光学ズームを行うズーム駆動部に十分な被写界深度を得ることができるズーム範囲を設定する動画撮影可能なデジタルカメラが提案されている（特許文献１）。
【特許文献１】特開２００１−２１１３７３号公報
【発明の開示】
【発明が解決しようとする課題】
【０００３】
しかし、従来のデジタル一眼レフカメラにおいて、動画記録開始後、望遠側に光学ズーム動作した場合、ピントを合わせた主被写体以外の異なる距離の被写体は、被写界深度が浅くなるため焦点が合わず、ボケて動画記録されてしまうという問題があった。また一旦顔認識が可能になっても被写界深度が浅くなってしまうために、顔認識ができなくなってしまうという問題があった。
【０００４】
本発明の課題は、動画撮影を行うときに望遠側にズームを行った場合であっても、被写体がボケて記録され難い撮像装置、ズーム制御方法を提供することである。
【課題を解決するための手段】
【０００５】
本発明の第１の側面としての撮像装置は、レンズ鏡筒を介して被写体像の動画を撮像する撮像手段と、前記レンズ鏡筒に含まれるレンズの少なくとも一部を移動して、前記撮像手段により撮影可能な被写体像の画角を変更する光学ズーム手段と、前記撮像手段から得られる撮影画像の撮影範囲を画像処理により変更する電子ズーム手段と、前記レンズ鏡筒により得られる像の被写界深度を演算する被写界深度演算手段と、前記被写界深度演算手段が演算した被写界深度に応じて前記光学ズーム手段と前記電子ズーム手段とを切り換える制御手段とを備える。
【０００６】
本発明の第２の側面としてのズーム制御方法は、レンズ鏡筒に含まれるレンズの少なくとも一部を移動して、撮像手段により撮影可能な被写体像の画角を変更する光学ズーム手段と、前記撮像手段から得られる撮影画像の撮影範囲を画像処理により変更する電子ズーム手段とを切り換えてズーム動作を行う撮像装置のズーム制御方法であって、前記レンズ鏡筒により得られる像の被写界深度を演算し、演算した被写界深度に応じて前記光学ズーム手段と前記電子ズーム手段とを切り換えることを特徴とする。
【発明の効果】
【０００７】
本発明によれば、動画撮影を行うときに望遠側にズームを行った場合であっても、被写体がボケて記録され難くできる。
【発明を実施するための最良の形態】
【０００８】
以下、本発明を実施するための最良の形態について図面等を参照して説明する。なお、以下に示す各図は、模式的に示した図であり、各部の大きさ、形状は、理解を容易にするために、適宜誇張して示している。また、以下の説明では、具体的な数値、構成、動作等を示して説明を行うが、これらは、適宜変更することができる。
【０００９】
（第１実施形態）
図１は、本発明によるズーム制御方法を用いた撮像装置の第１実施形態の構成を示す図である。撮像装置１００は、動画撮影が可能な一眼レフタイプのデジタルカメラであり、レンズ鏡筒３００に含まれるレンズ３１０により得られる被写体像を撮像素子１４の撮像面に結像させて撮像する。メカシャッタ１２は、撮像素子１４への露光量を制御するために開閉動作をおこなう機械式のシャッタ（メカニカルシャッタ）である。撮像素子１４は、光学像を電気信号に変換する光電変換手段である。本実施形態の撮像素子１４は、ＣＣＤ（Charge Coupled Device）イメージセンサを用いている。なお、撮像素子としては、ＣＭＯＳ（Complementary Metal Oxide Semiconductor）イメージセンサ等、他のタイプのイメージセンサでもよい。
【００１０】
レンズ３１０に入射した光線は、一眼レフ方式によって、絞り３１２、レンズマウント３０６及び１０６を介してミラー１３０の位置へ到達する。そして、ミラー１３０がアップ又はミラー１３０がハーフミラーの場合はこれを透過し、メカシャッタ１２が開くことにより、レンズ３１０に入射した光線は、光学像として撮像素子１４上に結像することができる。Ａ／Ｄ変換器１６は、撮像素子１４のアナログ信号出力をデジタル信号に変換する。タイミング発生部１８は、撮像素子１４へ電子シャッタ制御信号やクロック信号を供給し、Ａ／Ｄ変換器１６にクロック信号や制御信号を供給する。また、タイミング発生部１８は、メモリ制御部２２及びデジタル部システム制御回路５１により制御される。
【００１１】
デジタル部システム制御回路５１は、カメラ部システム制御回路５０と相互に通信可能であり、撮像装置１００のデジタル部を制御する。このデジタル部システム制御回路５１は、画像表示部２８のデータ表示を制御し、カメラ部システム制御回路５０から測光タイマ中か否かの通知を受けてその状態をＲＡＭ３０に記憶する。また、デジタル部システム制御回路５１は、画像処理部２０から画像処理中か否かの通知を受けてその状態をＲＡＭ３０に記憶する。さらに、デジタル部システム制御回路５１は、画像表示部２８がデータ表示中か否かをＲＡＭ３０に記憶する。
【００１２】
デジタル部システム制御回路５１は、カメラ部システム制御回路５０がズーム制御部３４４を制御して光学ズーム動作を行い、操作部７０により設定された被写界深度よりも浅くなった場合には、画像処理部２０に電子ズーム動作を行うように命令する。また、デジタル部システム制御回路５１は、光学ズーム動作を行い、画像認識部６０２で顔認識できなくなりそうになった場合には、画像処理部２０に電子ズーム動作を行うように命令する。
【００１３】
さらに、デジタル部システム制御回路５１は、光学ズーム動作を行い、画像認識部６０２が顔認識できなくなった、又は、顔認識可能な数が減った場合には、カメラ部システム制御回路５０に光学ズームを広角側に戻すようにズーム制御部３４４を制御する。この広角側へのズーム動作は、顔認識ができるまで、又は、顔認識可能な数が元の数に戻るまで行われる。その後さらに光学ズームを行いたい場合には、画像処理部２０に電子ズーム動作を行うように命令する。
【００１４】
画像処理部２０は、Ａ／Ｄ変換器１６からのデータ又はメモリ制御部２２からのデータに対して所定の画素補間処理や色変換処理を行う。また、画像処理部２０は、画像処理中かどうかをデジタル部システム制御回路５１に通知する。さらに、画像処理部２０は、撮像した画像データを用いて所定の演算処理を行う。この演算処理により得られた演算結果に基づいてカメラ部システム制御回路５０が撮影条件設定部５０ａ、測距部４２に対して制御を行う。例えば、カメラ部システム制御回路５０は、撮像面オートフォーカス処理、ＡＥ（自動露出）処理、ＥＦ（フラッシュ調光）処理を行うことができる。さらにまた、画像処理部２０は、撮像した画像データを用いて所定の演算処理を行い、得られた演算結果に基づいてＴＴＬ方式のＡＷＢ（オートホワイトバランス）処理も行っている。また、ＴＶＡＦ（コントラスト検知オートフォーカス）もこの画像処理部２０が行う。
【００１５】
画像処理部２０は、ライブビューモードに設定された場合には、撮像素子１４により撮像された画像データをリアルタイムに画像表示部２８に表示させる。また、動画記録において電子ズームを行うようにデジタル部システム制御回路５１が判断した場合には、画像処理部２０で撮影画像から必要な撮影範囲をクロップ（切り出し）する電子ズーム動作を行う。メモリ制御部２２は、Ａ／Ｄ変換器１６、タイミング発生部１８、画像処理部２０、ＲＡＭ３０、圧縮・伸長部３２を制御する。Ａ／Ｄ変換器１６が出力したデータは、画像処理部２０、メモリ制御部２２を介して、又は、Ａ／Ｄ変換器１６から直接メモリ制御部２２を介して、ＲＡＭ３０に書き込まれる。
【００１６】
画像表示部２８は、ＴＦＴ−ＬＣＤ（Thin Film Transistor-Liquid
Crystal Display）等から成り、Ｖｉｄｅｏコントローラを含み、メニュー、撮影画像データ等を表示する。また、画像表示部２８は、デジタル部システム制御回路５１の指示により任意に表示をＯＮ／ＯＦＦすることが可能である。表示をＯＦＦにした場合には、撮像装置１００の電力消費を大幅に低減することができる。この画像表示部２８は、撮影した静止画を再生したり、記録した動画を再生したりする。また、電子ズームを開始する被写界深度の設定内容の表示（図８、図９の表示）も画像表示部２８が行う。
【００１７】
ＲＡＭ３０は、撮影した静止画像や動画像を格納する記憶部であり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みを記憶部に対して行うことが可能となる。また、撮影された画像データ又は記録媒体２００及び２１０から呼び出された画像データは、デジタル部システム制御回路５１の制御下でＲＡＭ３０に格納される。このＲＡＭ３０の一部は、デジタル部システム制御回路５１のキャッシュ領域として使用される。さらに、ＲＡＭ３０は、カメラ部システム制御回路５０の作業領域としても使用することが可能である。
【００１８】
圧縮・伸長部３２は、適応離散コサイン変換（ＡＤＣＴ：Adaptive Discrete
Cosine Transform）等により画像データの圧縮伸長を行う。圧縮・伸長部３２は、ＲＡＭ３０に格納された画像を読み込んで圧縮処理又は伸長処理を行い、処理を終えたデータをＲＡＭ３０に書き込む。また、動画像の圧縮処理も圧縮・伸長部３２で行う。メカシャッタ制御部４０は、測光部４６からの測光情報に基づいて撮影条件設定部５０ａが設定した撮影条件に合わせて、絞り３１２を制御する絞り制御部３４０と連携しながら、メカシャッタ１２を制御する。
【００１９】
測距部４２は、ＡＦ（オートフォーカス）処理を行う。レンズ３１０に入射した光線は、一眼レフ方式によって、絞り３１２、レンズマウント３０６及び１０６、ミラー１３０そして不図示の測距用サブミラーを介して、測距部４２のＡＦセンサ（不図示）に入射する。測距部４２は、ＡＦセンサに入射して光学像として結像された画像の合焦状態を測定する。測光部４６は、ＡＥ（自動露出）処理を行う。レンズ３１０に入射した光線は、一眼レフ方式によって、絞り３１２、レンズマウント３０６及び１０６、ミラー１３０及び１３２そして不図示の測光用レンズを介して、測光部４６の測光センサ（不図示）に入射する。測光部４６は、測光センサに入射して光学像として結像された画像の輝度を測定する。また、測光部４６は、フラッシュ４８と連携することによりＥＦ（フラッシュ調光）処理機能も有するものである。
【００２０】
なお、ビデオＴＴＬ方式を用いて露出制御及びＡＦ（オートフォーカス）制御をすることも可能である。この場合、撮像素子１４によって撮像した画像データを画像処理部２０によって演算した演算結果に基づき、カメラ部システム制御回路５０がメカシャッタ制御部４０、絞り制御部３４０、測距制御部３４２に対して制御を行う。フラッシュ４８は、暗い場所などで光量を補うために発光を行う閃光発光部であり、ＡＦ補助光の投光機能、フラッシュ調光機能も有する。
【００２１】
カメラ部システム制御回路５０は、撮像装置１００のカメラ部を制御し、また測光タイマ動作中かどうかをデジタル部システム制御回路５１に通知する。カメラ部システム制御回路５０は、レンズ制御部３５０と通信し、レンズの識別情報を取得し許容円錯乱円を算出する。また、カメラ部システム制御回路５０は、レンズ制御部３５０と通信し、レンズの焦点距離、被写体までの距離（撮影距離）を取得する。カメラ部システム制御回路５０は、撮影条件設定部５０ａと被写界深度演算部５０ｂとを有している。
【００２２】
撮影条件設定部５０ａは、測光部４６又はビデオＴＴＬ方式を用いて撮像素子から得た被写体の輝度情報に基づいて、撮影時の絞り値、撮影感度、シャッタ速度、動画撮影時の電子シャッタ速度を設定する。被写界深度演算部５０ｂは、上述したように取得した許容円錯乱円、レンズの焦点距離、撮影距離に加えて、操作部７０により設定された絞り値、又は、撮影条件設定部５０ａが設定した絞り値を用いて被写界深度を演算する。被写界深度演算部５０ｂは、演算して得られた被写界深度が予め設定した被写界深度よりも浅くなった場合には、デジタル部システム制御回路５１に通知する。
【００２３】
図２は、被写界深度演算部５０ｂが演算する被写界深度を説明する図である。図２において、前側被写界深度ｂ、後側被写界深度ｃは、以下のように求めることができる。
前側被写界深度ｂ＝ｅ・Ｆ・ａ・ａ／（ｆ・ｆ＋ｅ・Ｆ・ａ）
後側被写界深度ｃ＝ｅ・Ｆ・ａ・ａ／（ｆ・ｆ−ｅ・Ｆ・ａ）
ここで、ｅ：許容円錯乱円、Ｆ：Ｆナンバー（絞り値）、ａ：被写体までの距離、ｆ：レンズの焦点距離である。よって、被写界深度（ｂ＋ｃ）の範囲に焦点があっているとみなされる。
【００２４】
メモリ５２は、カメラ部システム制御回路５０の動作用の定数、変数、プログラム等を記憶する。表示部５４は、カメラ部システム制御回路５０でのプログラムの実行に応じて、文字、画像、音声等を用いて動作状態やメッセージ等を表示する。表示部５４は、撮像装置１００の操作部近辺の視認し易い位置に単数又は複数設置され、例えばＬＣＤ（Liquid Crystal Display）やＬＥＤ（Light Emitting
Diode）、発音素子等の組み合わせにより構成されている。また、表示部５４は、その一部の機能が光学ファインダ１０４内に設置されている。
【００２５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示等がある。また、フラッシュ表示、赤目緩和表示、マクロ撮影表示、ブザー設定表示、時計用電池残量表示、電池残量表示、エラー表示、複数桁の数字による情報表示もＬＣＤ等に表示する。さらに、記録媒体２００及び２１０の着脱状態表示、レンズ鏡筒３００の着脱状態表示、通信Ｉ／Ｆ動作表示、日付・時刻表示、外部コンピュータとの接続状態を示す表示等もＬＣＤ等に表示する。
【００２６】
一方、表示部５４の表示内容のうち、光学ファインダ１０４内に表示するものとしては、例えば、合焦表示、撮影準備完了表示、手振れ警告表示、フラッシュ充電表示、フラッシュ充電完了表示がある。また、シャッタスピード表示、絞り値表示、露出補正表示、記録媒体書き込み動作表示等も光学ファインダ１０４内に表示する。さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示がある。また、記録媒体書き込み動作表示、マクロ撮影設定通知表示、二次電池充電状態表示等もＬＥＤ等に表示する。
【００２７】
そして、表示部５４の表示内容のうち、ランプ等に表示するものとしては、例えば、セルフタイマー通知ランプ等がある。このセルフタイマー通知ランプは、ＡＦ補助光と共用して用いてもよい。不揮発性メモリ５６は、電気的に消去・記録可能な不揮発性記憶手段であり、例えばＥＥＰＲＯＭ（Electrically Erasable Programmable ROM）等が用いられる。
【００２８】
モードダイアル６０、シャッタスイッチ６２（ＳＷ１）、シャッタスイッチ６４（ＳＷ２）、再生スイッチ６６、単写／連写スイッチ６８、及び、操作部７０は、カメラ部システム制御回路５０の各種の動作指示を入力するための操作手段である。これらは、スイッチやダイアル、タッチパネル、視線検知によるポインティング、音声認識装置等の単数又は複数の組み合わせで構成される。
【００２９】
モードダイアル６０は、自動撮影モード、プログラム撮影モード、シャッタ速度優先撮影モード、絞り優先撮影モード、マニュアル撮影モード、被写界深度優先（デプス）撮影モードの各機能撮影モードを切り換え設定することができる。また、モードダイアル６０は、ポートレート撮影モード、風景撮影モード、接写撮影モード、スポーツ撮影モード、夜景撮影モード、パノラマ撮影モード等の各機能撮影モードの切り換え設定も行える。シャッタスイッチ６２は、不図示のシャッタボタンの操作途中のいわゆる半押し状態でＯＮとなるスイッチ（ＳＷ１）である。シャッタスイッチ６２（ＳＷ１）がＯＮすることにより、ＡＦ（オートフォーカス）処理、ＡＥ（自動露出）処理、ＡＷＢ（オートホワイトバランス）処理、ＥＦ（フラッシュ調光）処理等の動作開始をカメラ部システム制御回路５０が指示する。
【００３０】
シャッタスイッチ６４は、不図示のシャッタボタンの操作完了のいわゆる全押し状態でＯＮとなるスイッチ（ＳＷ２）である。シャッタスイッチ６４（ＳＷ２）がＯＮすることにより、カメラ部システム制御回路５０が露光処理、現像処理、記録処理という一連の処理の動作開始を指示する。この露光処理では、撮像素子１４から読み出した信号をＡ／Ｄ変換器１６、メモリ制御部２２を介してＲＡＭ３０に画像データを書き込む。また、現像処理では、画像処理部２０やメモリ制御部２２での演算を行う。さらに、記録処理では、ＲＡＭ３０から画像データを読み出し、圧縮・伸長部３２で圧縮を行い、記録媒体２００，２１０に画像データを書き込む。また、動画記録の開始もシャッタスイッチ６４がＯＮすることにより指示される。
【００３１】
再生スイッチ６６は、撮影した画像／動画をＲＡＭ３０又は記録媒体２００又は２１０から読み出して画像表示部２８によって表示する再生動作の開始を指示するときに操作される。単写／連写スイッチ６８は、シャッタスイッチ６４（ＳＷ２）を押した場合に１駒の撮影を行って待機状態とする単写モードと、シャッタスイッチ６４（ＳＷ２）を押している間は連続して撮影を行い続ける連写モードとを設定することができる。
【００３２】
操作部７０は、各種ボタンやタッチパネル等からなり、メニューボタン、ライブビューを開始するセットボタン、静止画撮影、動画記録の切り換えを行う撮影切り換えキー、動画撮影時に被写界深度優先記録をさせる被写界深度優先ボタンを有する。また、操作部７０は、望遠側、広角側にズームするズームキー、画像認識を開始させる画像認識開始ボタン、マクロボタン、マルチ画面再生改ページボタン、フラッシュ設定ボタン、セルフタイマー切り換えボタンを有する。さらに、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンを有する。
【００３３】
さらに、操作部７０は、パノラマモード等の撮影及び再生を実行する際に各種機能の選択及び切り換えを設定する選択／切り換えボタン、パノラマモード等の撮影及び再生を実行する際に各種機能の決定及び実行を設定する決定／実行ボタンを有する。さらに、操作部７０は、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを有する。さらに、操作部７０は、ＪＰＥＧ圧縮の圧縮率や撮像素子の信号をそのままデジタル化して記録するＲＡＷモードを選択する圧縮モードスイッチ、再生モード、マルチ画面再生・消去モード、ＰＣ接続モード等の各機能モードを設定する再生スイッチを有する。
【００３４】
さらに、操作部７０は、ワンショットＡＦモードと、サーボＡＦモードとを設定するＡＦモード設定スイッチを有する。ワンショットＡＦモードとは、シャッタスイッチ６２（ＳＷ１）を押したらＡＦ動作を開始し一旦合焦したらその合焦状態を保ち続けるモードである。サーボＡＦモードとは、シャッタスイッチ６２（ＳＷ１）を押している間は連続してオートフォーカス動作を続けるモードである。また、上述のプラスボタン及びマイナスボタンの各機能は、回転ダイアルスイッチを備えることによって、より軽快に数値や機能を選択することが可能となる。さらに、動画撮影の被写界深度優先モードの設定、被写界深度の値以下になったら電子ズームを行わせるための被写界深度の設定も操作部７０で行われる。電源スイッチ７２は、撮像装置１００の電源オン、電源オフの各モードを切り換え設定することができる。また、撮像装置１００に接続されたレンズ鏡筒３００、外部ストロボ、記録媒体２００、２１０等の各種付属装置の電源オン、電源オフの設定も合わせて切り換え設定することができる。
【００３５】
電源制御手段８０は、電池検出回路、ＤＣ−ＤＣコンバータ、通電するブロックを切り換えるスイッチ回路等により構成されている。電源制御手段８０は、電池の装着の有無、電池の種類、電池残量の検出を行い、検出結果及びカメラ部システム制御回路５０の指示に基づいてＤＣ−ＤＣコンバータを制御し、必要な電圧を必要な期間、記録媒体を含む各部へ供給する。コネクタ８２、８４は、撮像装置１００の内部と電池収容部に収容された電池又はＡＣアダプター等の電源８６とを接続する。電源８６は、アルカリ電池やリチウム電池等の一次電池やＮｉＣｄ電池やＮｉＭＨ電池、Ｌｉ電池等の二次電池、ＡＣアダプター等である。インターフェース９０，９４は、メモリカードやハードディスク等の記録媒体２００，２１０との接続を仲介する。コネクタ９２，９６は、メモリカードやハードディスク等の記録媒体２００，２１０との接続を行う。記録媒体着脱検知手段９８は、コネクタ９２，９６の少なくとも一方に記録媒体２００，２１０が装着されているか否かを検知する。
【００３６】
なお、本実施形態では記録媒体を取り付けるインターフェース及びコネクタを２系統持つものとして説明している。これに限らず、記録媒体を取り付けるインターフェース及びコネクタは、単数又は複数、いずれの系統数を備える構成としてもよい。また、異なる規格のインターフェース及びコネクタを組み合わせて備える構成としてもよい。インターフェース及びコネクタとしては、例えば、ＰＣＭＣＩＡカードやコンパクトフラッシュ（登録商標）カード等の規格に準拠したものを用いることができる。
【００３７】
さらに、インターフェース９０，９４、そしてコネクタ９２，９６をＰＣＭＣＩＡカードやコンパクトフラッシュ（登録商標）カード等の規格に準拠したものを用いて構成した場合、データの通信に利用可能である。すなわち、この部分に各種通信カードを接続することにより、他のコンピュータやプリンタ等の周辺機器との間で画像データや画像データに付属した管理情報を転送し合うことができる。通信カードとしては、例えば、ＬＡＮカードやモデムカード、ＵＳＢカード、ＩＥＥＥ１３９４カード、Ｐ１２８４カード、ＳＣＳＩカード、ＰＨＳ等の通信カード等を用いることができる。
【００３８】
光学ファインダ１０４は、レンズ３１０に入射した光線を、一眼レフ方式によって、絞り３１２、レンズマウント３０６及び１０６、ミラー１３０及び１３２を介して導き、光学像として結像表示することができる。これにより、画像表示部２８による電子ファインダ機能を使用することなく、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示等が設置されている。
【００３９】
通信部１１０は、撮像装置１００をパソコンと接続する。本実施形態の通信部１１０は、ＩＥＥＥ１３９４を用いている。撮像装置１００は、ＲＡＭ３０やＲＯＭ６００及び記録媒体２００，２１０に格納された情報を、通信部１１０を介して外部に設けられたパソコンに送信、又は、逆に各種情報を受信する。通信部１１０は、特に撮影データや画像データの送受信を行うために用いられる。また、この通信部１１０は、ＲＳ２３２ＣやＵＳＢ、ＵＳＢ２、Ｐ１２８４、ＳＣＳＩ、モデム、ＬＡＮ、無線通信等の各種通信手段により構成してもよい。
【００４０】
コネクタ１１２は、通信部１１０により撮像装置１００を他の機器と接続する。なお、無線通信の場合は、コネクタ１１２の代わりにアンテナを用いるとよい。インターフェース１２０は、レンズマウント１０６内において、撮像装置１００をレンズ鏡筒３００と接続する。コネクタ１２２は、撮像装置１００をレンズ鏡筒３００と電気的に接続する。コネクタ１２２は、撮像装置１００とレンズ鏡筒３００との間で制御信号、状態信号、データ信号等を伝え合うと共に、各種電圧の電流を供給する機能も備えている。また、コネクタ１２２は、電気通信のみならず、光通信、音声通信等を伝達する構成としてもよい。ミラー１３０、１３２は、レンズ３１０に入射した光線を、一眼レフ方式によって光学ファインダ１０４に導くことができる。なお、ミラー１３２は、クイックリターンミラーの構成としてもよいし、ハーフミラーの構成としてもよい。
【００４１】
記録媒体２００は、メモリカードやハードディスク等であり撮影した画像／動画を記録する。記録媒体２００は、半導体メモリや磁気ディスク等から構成される記録部２０２と、撮像装置１００とのインターフェース２０４と、撮像装置１００と接続を行うコネクタ２０６とを備えている。記録媒体２１０は、メモリカードやハードディスク等であり撮影した画像／動画を記録する。記録媒体２１０は、半導体メモリや磁気ディスク等から構成される記録部２１２と、撮像装置１００とのインターフェース２１４と、撮像装置１００と接続を行うコネクタ２１６とを備えている。
【００４２】
レンズ鏡筒３００は、撮像装置１００に対して着脱自在な交換レンズである。レンズマウント３０６は、レンズ鏡筒３００を撮像装置１００と機械的に結合する。レンズマウント３０６内には、レンズ鏡筒３００を撮像装置１００と電気的に接続する各種機能が含まれている。レンズ３１０は、複数のレンズ群からなり、レンズ群の少なくとも一部を光軸に沿った方向に移動させることにより撮影可能な被写体像の画角を変更する光学ズームが可能な撮影光学系である。また、本実施形態のレンズ鏡筒３００は、レンズ群を移動させて光学ズームを行う駆動力を生じるズームモータを備えている。絞り３１２は、レンズ３１０を通過する光量を調節するように開口径が変化する虹彩絞りである。インターフェース３２０は、レンズマウント３０６内において、レンズ鏡筒３００を撮像装置１００と接続する。
【００４３】
コネクタ３２２は、レンズ鏡筒３００と撮像装置１００とを電気的に接続する。コネクタ３２２は、撮像装置１００とレンズ鏡筒３００との間で制御信号、状態信号、データ信号等を伝え合うと共に、各種電圧の電流を通す機能も備えている。また、コネクタ３２２は、電気通信のみならず、光通信、音声通信等を伝達する構成としてもよい。絞り制御部３４０は、測光部４６からの測光情報に基づいて撮影条件設定部５０ａが設定した撮影条件に合わせて、メカシャッタ１２を制御するメカシャッタ制御部４０と連携しながら、絞り３１２を制御する。測距制御部３４２は、レンズ３１０のフォーカシングを制御する。ズーム制御部３４４は、レンズ３１０のズーミングを制御する。
【００４４】
レンズ制御部３５０は、レンズ鏡筒３００全体を制御する。レンズ制御部３５０は、動作用の定数、変数、プログラム等を記憶するメモリやレンズ鏡筒３００固有の番号等の識別情報、管理情報、開放絞り値や最小絞り値、焦点距離等の機能情報、現在や過去の各設定値などを保持する不揮発メモリの機能も備えている。カメラ部システム制御回路５０から被写界深度を計算するために、レンズの識別情報、被写体までの距離、撮像レンズの焦点距離の情報を求められた場合には、レンズ制御部３５０がその情報を返す。
【００４５】
ＲＯＭ６００は、電気的に消去・記録可能な不揮発性メモリであり撮像装置１００の電源がＯＦＦ状態にあっても、その記憶内容が保持される。ＲＯＭ６００は、特に撮像装置１００の動作を制御するプログラムを格納したり、撮影モードや撮影情報及び諸々のパラメータを記憶したりするために用いられる。ＤＭＡコントローラ６０１は、画像表示部２８がデータ表示時、ＲＡＭ３０上に用意された表示用データを画像表示部２８にＤＭＡ転送を行う。このＤＭＡ転送により転送されたデータが画像表示部２８に表示される。
【００４６】
画像認識部６０２は、画像処理部２０からのデータ又はメモリ制御部２２からのデータに対して所定の画像認識処理を行う。また、この画像認識部６０２で画像認識物体の動作認識の処理を行う。顔認識の処理も画像認識部６０２で行う。顔認識は、画像に顔があるか否か、及び、その位置、大きさ等を検出する技術である。顔認識については、すでに多くの手法が顔認識技術として実現されている。例えば、特開昭５２−１５６６２４号公報では、撮影画像から人の顔を抽出する手法として原画像から肌色データを抽出し、肌色範囲と判断された測光点のクラスタを顔とする方法が提案されている。また、特開平４−３４６３３３号公報では、測光データを色相と彩度に変換し、この２次元ヒストグラムを作成、解析することで顔領域を判断する方法が提案されている。さらに、特開平８−０３６５９７号公報においては、人の顔の形状に相当する顔候補領域を抽出し、その領域内の特徴量から顔領域を決定するという方法が提案されている。本発明を実施するにあたって、顔検出方法についてはどのように方法を使用してもよい。また、笑顔検出、泣き顔検出、怒った顔検出なども画像認識部６０２で行う。入力部６０３は、本実施形態では、タッチパネルである。
【００４７】
次に、本実施形態で使用するＴＶＡＦについて説明する。図３は、第１実施形態におけるＴＶＡＦの動作を示すフローチャートである。なお、図３を含め、以下に示す各フローチャートは、本発明の主要な動作部分を説明するためのものである。したがって、装置全体の全ての状況に対応したフローチャートとはせずに、適宜省略して示している。まず、操作部７０よりＴＶＡＦを行うことを指定されると、カメラ部システム制御回路５０は、レンズ制御部３５０を動作させる。カメラ部システム制御回路５０は、レンズ３１０を微小駆動動作させながら、ＡＦ評価値を画像処理部２０から取り込む。そして、デジタル部システム制御回路５１は、現在合焦しているのか、ボケているのか、ボケているときには合焦点はどちらなのかを判断する（ステップ１０１、以下ステップをＳと示す）。
【００４８】
次に、タイミング発生部１８のＡＧＣ（自動ゲイン調整）から現在のＡＧＣのゲインに応じ、Ｓ１０３で使う所定レベルを変更する（Ｓ１０２）。これは、タイミング発生部１８のＡＧＣがオフ（ＯＦＦ）のときの値を基準にタイミング発生部１８のＡＧＣのゲインが上がるにつれて大きくなるように設定する。次に、デジタル部システム制御回路５１は、ＡＦ評価値が所定レベル以下か否かを判別する（Ｓ１０３）。そして、ＡＦ評価値が所定レベル以下であれば、微小駆動動作による方向判別を中止して現在のレンズ３１０の位置から山登り方向を設定する（Ｓ１１４）。その後、Ｓ１０６では、Ｓ１１４において設定した方向へ山登り駆動する。
【００４９】
一方、Ｓ１０３においてＡＦ評価値が所定レベル以下でなければ、微小駆動動作の結果により現在合焦状態にあるのか否かを判別する（Ｓ１０４）。そして、合焦状態にある場合には、レンズ３１０の移動を停止し、再起動監視処理ルーチンへ進む（Ｓ１１０）。合焦状態でない場合には、微小駆動動作の結果により、どちらの方向に合焦点があるかの判別ができたか否かを判別し（Ｓ１０５）、この方向判別ができない場合はＳ１０１へ戻る。また、Ｓ１０５において方向判別ができた場合は、その判別方向へ山登り駆動動作を実行する（Ｓ１０６）。
【００５０】
次に、デジタル部システム制御回路５１は、合焦点、即ちＡＦ評価信号の頂点を越えたか否かを判別し（Ｓ１０７）、越えていなければＳ１０６へ戻って山登り駆動動作を続け、越えていたならばレンズ３１０を頂点に戻す（Ｓ１０８）。しかし、頂点に戻す動作をしている間に、パンニング等により被写体が変化する場合もある。よって、頂点にレンズ３１０が辿り着いたならば、今いるところが本当に頂点、即ち合焦点であるのかを判定するため、レンズ３１０が頂点に達したか否かを判別する（Ｓ１０９）。そして、レンズ３１０が頂点に達しない場合は、Ｓ１０８へ戻る。また、Ｓ１０９においてレンズ３１０が頂点に達した場合には、Ｓ１０１へ戻る。
【００５１】
一方、Ｓ１０４において現在合焦状態にある場合には、合焦時のＡＦ評価値レベルを記憶する（Ｓ１１０）。次に再起動判定ルーチンを実行する（Ｓ１１１）。この再起動判定ルーチンは、現在合焦状態にある場合には、ＡＦ評価値レベルが、合焦時にＳ１１０において記憶したレベルに比べ、変動したか否を判別する処理である。例えば、記憶したレベルに対して所定レベル以上変化したら、パンニング等による被写体変化があったとして、「再起動した」と判別し、所定レベル未満の変化量ならば被写体の変化はないとして「再起動しない」と判別する。このような判別基準にしたがって再起動したか否かを判別する（Ｓ１１２）。そして、「再起動しない」と判別した場合は、レンズ３１０の移動をそのまま停止させた後（Ｓ１１３）、Ｓ１１１へ戻り、再び再起動監視処理を行う。一方、Ｓ１１２において「再起動した」と判別した場合には、Ｓ１０１へ戻り、再び微小駆動動作を行い、合焦判定及び方向判定を行う。以上のような動作を繰り返すことで、絶えず合焦を維持できるようにレンズ３１０を動作させＴＶＡＦを行う。
【００５２】
次に、撮像装置１００の動作に関して説明する。図４は、第１実施形態の撮像装置１００の動作を示すフローチャートである。まず、Ｓ２０１で、撮像装置１００を使用するために電源スイッチ７２をＯＮする。Ｓ２０２では、動画記録を行うか否かを判断し、動画記録を行う場合には、Ｓ２０３へ進み、動画記録を行わない場合には、Ｓ２０３の判断を繰り返す。Ｓ２０３では、操作部７０の静止画撮影、動画撮影の撮影切り換えキーを動画撮影に切り換える。Ｓ２０４では、操作部７０の被写界深度優先ボタンを押し、動画撮影時の被写界深度優先モードに設定する。Ｓ２０５では、電子ズームを開始する被写界深度を設定する。
【００５３】
図５は、電子ズームを開始する被写界深度の設定例を示す図である。図６は、電子ズームを開始する被写界深度の他の設定例を示す図である。被写界深度を、例えば、図５のように浅い、深い、中間等のような３段階に設定する。この設定の段階は、５段階、７段階、９段階にも設定可能でもよい。また、図６のように浅いから深いまで複数段階に設定することも可能である。図４に戻って、Ｓ２０６では、さらに操作部７０を操作し、ライブビューを開始する。Ｓ２０７では、不図示のシャッタボタンを半押ししてシャッタスイッチ６２（ＳＷ１）をＯＮし、被写体にピントを合わせる。Ｓ２０８では、シャッタボタンが全押しされてシャッタスイッチ６２（ＳＷ２）がＯＮされて動画像の記録が開始したか否かを判定する。動画像の記録が開始したらＳ２０９へ進み、そうでない場合には、Ｓ２０８の判定を繰り返す。
【００５４】
Ｓ２０９では、操作部７０のズームキーの操作が望遠側に操作されたか否かの判定を行う。ズームキーが望遠側に操作されたらＳ２１０へ進み、そうでない場合には、Ｓ２０９の判定を繰り返す。Ｓ２１０では、被写界深度演算部５０ｂが被写界深度を計算する。Ｓ２１１では、Ｓ２１０で演算した被写界深度が、指定した被写界深度よりも浅いか否かを判断する。指定した被写界深度よりも被写界深度が浅くなった場合には、Ｓ２１２へ進み、浅くなかった場合には、Ｓ２１３へ進む。Ｓ２１２では、指定した被写界深度よりも被写界深度が浅いので、光学ズームを電子ズームに切り換えてズームする。これにより常に被写界深度が深い状態でズームすることが可能になる。Ｓ２１３では、指定した被写界深度よりも被写界深度が浅くなかったので、引き続き光学ズームする。Ｓ２１４では、撮影を終了するかどうか判断し、撮影終了しないならば、Ｓ２０９へ戻り、望遠側にズーム動作するかどうか判断し、同じ処理を繰り返す。
【００５５】
以上説明したように、第１実施形態によれば、被写界深度演算部５０ｂが被写界深度を演算し、その演算結果が設定した被写界深度よりも浅いときには、望遠側へのズーム動作を電子ズームに切り換える。よって、常にボケのない被写界深度が深い動画を記録できる。
【００５６】
（第２実施形態）
第２実施形態は、撮像装置１００の動作が異なる他は、第１実施形態と同様な形態である。よって、前述した第１実施形態と同様の機能を果たす部分には、同一の符号を付して、重複する説明を適宜省略する。図７は、第２実施形態の撮像装置１００の動作を示すフローチャートである。まず、Ｓ３０１で、撮像装置１００を使用するために電源スイッチ７２をＯＮする。Ｓ３０２では、動画記録を行うか否かを判断し、動画記録を行う場合には、Ｓ３０３へ進み、動画記録を行わない場合には、Ｓ３０３の判断を繰り返す。Ｓ３０３では、操作部７０の静止画撮影、動画撮影の撮影切り換えキーを動画撮影に切り換える。Ｓ３０４では、操作部７０を操作し、ライブビューを開始する。Ｓ３０５では、不図示のシャッタボタンを半押ししてシャッタスイッチ６２（ＳＷ１）をＯＮし、被写体にピントを合わせる。Ｓ３０６ではシャッタボタンが全押しされてシャッタスイッチ６２（ＳＷ２）がＯＮされて動画像の記録が開始したか否かを判定する。動画像の記録が開始したらＳ３０７へ進み、そうでない場合には、Ｓ３０６の判定を繰り返す。Ｓ３０７では、画像認識部６０２で顔認識できたかどうかを判別する。顔認識できた場合は、Ｓ３０８へ進み、そうでない場合には、Ｓ３０７の判別を繰り返す。Ｓ３０８では、操作部７０のズームキーの操作が望遠側に操作されたか否かの判定を行う。ズームキーが望遠側に操作されたらＳ３０９へ進み、そうでない場合には、Ｓ３０８の判定を繰り返す。
【００５７】
Ｓ３０９では、望遠側に光学ズームすることにより、被写界深度が浅くなり、顔認識できなくなりそうになったかどうかを判別する。顔認識できなくなりそうになった場合には、Ｓ３１０へ進み、そうでない場合には、Ｓ３１１へ進む。図８は、顔認識するときの特徴点を説明する図である。本実施形態の画像認識部６０２は、図８に示す特徴点を画像から抽出して顔認識を行う。そして、Ｓ３０９では、この特徴点を抽出できている数に基づいて、顔認識できなくなりそうになったかどうかを判別する。また、Ｓ３０９で行う判別は、被写界深度が浅くなっているか否かについても考慮して総合的に判断してもよい。被写界深度を考慮することにより、特徴点を抽出できている数が減少した原因が望遠側に光学ズームしたことによるのかどうかをより正確に判断できる。Ｓ３１０では、顔認識できなくなりそうになっているので、光学ズームを電子ズームに切り換えてズームする。これにより常に顔認識が可能な状態でズームすることが可能になる。一方、Ｓ３１１では、顔認識ができなくなりそうになかったので、引き続き光学ズームを行う。Ｓ３１２では、撮影を終了するかどうか判断し、撮影終了しないならば、Ｓ３０８へ戻り、望遠側にズーム動作するかどうか判断し、同じ処理を繰り返す。
【００５８】
以上説明したように、第２実施形態によれば、顔認識できなくなりそうになったときには、電子ズームに切り換えるので、一度顔認識できた後は、常に顔認識した状態で動画を記録できる。
【００５９】
（第３実施形態）
第３実施形態は、撮像装置１００の動作が異なる他は、第２実施形態と同様な形態である。よって、前述した第２実施形態と同様の機能を果たす部分には、同一の符号を付して、重複する説明を適宜省略する。図９は、第３実施形態の撮像装置１００の動作を示すフローチャートである。Ｓ４０１からＳ４０８までは、第２実施形態の図７に示したＳ３０１からＳ３０８までと同様なので、説明を省略する。
【００６０】
Ｓ４０９では、望遠側に光学ズームすることにより、被写界深度が浅くなり、図８の特徴点をすべて抽出できなくなり顔認識できなくなったかどうか判別する。顔認識できなくなった場合には、Ｓ４１０へ進み、そうでない場合には、Ｓ４０８へ戻る。Ｓ４１０では、顔認識できなくなったので、光学ズームを広角側に戻す。Ｓ４１１では、顔認識がまた可能になったかどうか判別する。顔認識が可能になった場合には、Ｓ４１２へ進み、そうでない場合には、Ｓ４１０へ戻る。Ｓ４１２では、操作部７０のズームキーの操作が望遠側に操作されたか否かの判定を行う。ズームキーが望遠側に操作されたらＳ４１３へ進み、そうでない場合には、Ｓ４１２の判定を繰り返す。Ｓ４１３では、電子ズームによりズームを行う。
【００６１】
以上説明したように、第３実施形態によれば、顔認識できなくなったときには、顔認識できるまで光学ズームを広角側へ戻す。そして、その後望遠側へズームを行うときには、電子ズームに切り換えるので、一度顔認識できた後は、常に顔認識した状態で動画を記録できる。
【００６２】
（第４実施形態）
第４実施形態は、撮像装置１００の動作が異なる他は、第２実施形態と同様な形態である。よって、前述した第２実施形態と同様の機能を果たす部分には、同一の符号を付して、重複する説明を適宜省略する。図１０は、第４実施形態の撮像装置１００の動作を示すフローチャートである。Ｓ５０１からＳ５０８までは、第２実施形態の図７に示したＳ３０１からＳ３０８までと同様なので、説明を省略する。
【００６３】
Ｓ５０９では、望遠側に光学ズームすることにより、被写界深度が浅くなり、顔認識可能な数が減ったかどうか判別する。図１１は、複数の顔が認識されている状態を示す図である。Ｓ５０９における顔認識可能な数が減ったかどうかの判別を、一例として、図１１に示すように３人の顔が認識されている場合を想定して説明する。この場合に、望遠側に光学ズームすることにより、被写界深度が浅くなり、ある人物のボケが大きくなり、その人物の顔の特徴点が抽出できずに、顔認識できる人数が減ったときが、Ｓ５０９の判別結果がＹＥＳとなる。
【００６４】
図１０に戻って、Ｓ５０９での判別により、顔認識可能な数が減った場合には、Ｓ５１０へ進み、そうでない場合には、Ｓ５０８へ戻る。Ｓ５１０では、顔認識可能な数が減ったので、光学ズームを広角側に戻す。Ｓ５１１では、先にＳ５０７で顔認識していたときと同じ数の顔認識がまた可能になったかどうか判別する。同じ数の顔認識が可能になった場合には、Ｓ５１２へ進み、そうでない場合には、Ｓ５１２の判別を繰り返す。Ｓ５１２では、操作部７０のズームキーの操作が望遠側に操作されたか否かの判定を行う。ズームキーが望遠側に操作されたらＳ５１３へ進み、そうでない場合には、Ｓ５１２の判定を繰り返す。Ｓ５１３では、電子ズームによりズームを行う。
【００６５】
以上説明したように、第３実施形態によれば、顔認識可能な数が減ったときには、顔認識可能な数が回復するまで光学ズームを広角側へ戻す。そして、その後望遠側へズームを行うときには、電子ズームに切り換えるので、一度顔認識した数を減らさずに動画を記録できる。
【００６６】
（変形形態）
以上説明した実施形態に限定されることなく、種々の変形や変更が可能であって、それらも本発明の範囲内である。例えば、各実施形態において、レンズ鏡筒３００が撮像装置１００に対して交換可能な形態を例に挙げて説明したが、これに限らず、例えば、レンズ鏡筒３００が撮像装置１００に対して固定されており交換できない形態の撮像装置であってもよい。なお、第１実施形態〜第４実施形態及び変形形態は、適宜組み合わせて用いることもできるが、詳細な説明は省略する。また、本発明は以上説明した各実施形態によって限定されることはない。
【図面の簡単な説明】
【００６７】
【図１】本発明によるズーム制御方法を用いた撮像装置の第１実施形態の構成を示す図である。
【図２】被写界深度演算部５０ｂが演算する被写界深度を説明する図である。
【図３】第１実施形態におけるＴＶＡＦの動作を示すフローチャートである。
【図４】第１実施形態の撮像装置１００の動作を示すフローチャートである。
【図５】電子ズームを開始する被写界深度の設定例を示す図である。
【図６】電子ズームを開始する被写界深度の他の設定例を示す図である。
【図７】第２実施形態の撮像装置１００の動作を示すフローチャートである。
【図８】顔認識するときの特徴点を説明する図である。
【図９】第３実施形態の撮像装置１００の動作を示すフローチャートである。
【図１０】第４実施形態の撮像装置１００の動作を示すフローチャートである。
【図１１】複数の顔が認識されている状態を示す図である。
【符号の説明】
【００６８】
１４    撮像素子
２０    画像処理部
４２    測距部
４６    測光部
５０    カメラ部システム制御回路
５０ａ    撮影条件設定部
５０ｂ    被写界深度演算部
５１    デジタル部システム制御回路
１００    撮像装置
１０４    光学ファインダ
１３０    ミラー
１３２    ミラー
３００    レンズ鏡筒
３４０    絞り制御部
３４２    測距制御部
３４４    ズーム制御部
３５０    レンズ制御部
６０２    画像認識部
【図１】
2010141376.tif 000003
【図２】
2010141376.tif 000004
【図３】
2010141376.tif 000005
【図４】
2010141376.tif 000006
【図５】
2010141376.tif 000007
【図６】
2010141376.tif 000008
【図７】
2010141376.tif 000009
【図８】
2010141376.tif 000010
【図９】
2010141376.tif 000011
【図１０】
2010141376.tif 000012
【図１１】
2010141376.tif 000013